(57)【要約】本発明は楽曲のコード化に関するものである。音の集合について、一方は音の高さのために、他方は音の長さのために２つの別々のコード化が行われ、これらのコード化は、一方では高さに、他方では長さに特有の圧縮アルゴリズムの結果生じる。本発明は特に、サーバ（１０）から携帯電話（１４）への着信音のダウンロードに適用される。
2004527796.tif 000002
【特許請求の範囲】
【請求項１】
楽曲をコード化する方法であって、音の集合について、一方は音の高さのために、他方は音の長さのために、２つの別々のコード化を行い、これらのコード化は、一方では高さに、他方では長さに特有の圧縮アルゴリズムの結果生じることを特徴とする方法。
【請求項２】
音の集合について、高さを表すコードは第１のグループを形成し、長さを表すコードは第１のグループとは別の第２のグループを形成することを特徴とする請求項１に記載の方法。
【請求項３】
１つの音の高さのコード化が他の音を基準にした相対値であることを特徴とする請求項１または２に記載の方法。
【請求項４】
１つの音の高さのコード化が定められた基準の高さに対する相対値であることを特徴とする請求項３に記載の方法。
【請求項５】
１つの音の高さのコード化が先行する音に対する相対値であることを特徴とする請求項３に記載の方法。
【請求項６】
先行する音が直前の音であることを特徴とする請求項５に記載の方法。
【請求項７】
音の高さの定義された列に一定のコードを割り当てることを特徴とする請求項１または２に記載の方法。
【請求項８】
連続する一般的な長さに対して独自の一定のコードを割り当てながら、音の長さをコード化することを特徴とする前記請求項のいずれか一項に記載の方法。
【請求項９】
連続する長さが、付点音符と二重付点音符を含むことを特徴とする請求項８に記載の方法。
【請求項１０】
一定のコードが、連続する一般的な長さの一部に割り当てられ、同じコードから、連続する一般的な長さの前記部分に対応する長さを整数で割ることによって、より短い長さが得られることを特徴とする請求項８または９に記載の方法。
【請求項１１】
一定のコードが、連続する一般的な長さの一部に割り当てられ、同じコードから、連続する一般的な長さの前記部分に対応する長さに整数を掛けることによって、より長い長さが得られることを特徴とする請求項８から１０のいずれか一項に記載の方法。
【請求項１２】
音の長さの定義された各列に一定のコードが割り当てられることを特徴とする前記請求項のいずれか一項に記載の方法。
【請求項１３】
音の長さの一般的な列に一定のコードが割り当てられることを特徴とする前記請求項のいずれか一項に記載の方法。
【請求項１４】
連続する音の高さおよび／または音の長さが同じである同時に再生されるべき複数のチャネルのコード化のために、ただ１つのチャネルの音がコード化され、単数または複数の他のチャネルのために、第１のチャネルに対する高さおよび／または長さの同一性を示すコードが与えられることを特徴とする前記請求項のいずれか一項に記載の方法。
【請求項１５】
独自のコードが、高さおよび長さにおいてすでに定義された音の列の繰り返しを特定することを特徴とする前記請求項のいずれか一項に記載の方法。
【請求項１６】
楽曲をコード解読する方法であって、音の集合について、音の高さおよび音の長さを別々の方法でコード解読し、一方では音の高さに、他方では音の長さに特有の圧縮解除アルゴリズムが適用されることを特徴とする方法。
【請求項１７】
高さを表すコードが、第１のグループとは別の第２のグループを形成する音の長さを表すコードとは別の第１のグループを形成しており、まず一方のグループ全体をコード解読し、次に他方のグループのコード解読を行うことを特徴とする請求項１６に記載のコード解読方法。
【請求項１８】
ある音の高さが、他の音を基準にした相対値によって表されており、コード解読は、コード解読される音を得るために基準に相対値を付加することにあることを特徴とする請求項１６または１７に記載の方法。
【請求項１９】
請求項１から１５のいずれか一項に記載の方法を利用するコード化手段（１２）を有することを特徴とするサーバ（１０）のような楽曲の生成装置。
【請求項２０】
請求項１６から１８のいずれか一項に記載の方法を利用する楽曲のデコーダ。
【請求項２１】
携帯電話に対する請求項２０に記載のデコーダの適用。
【請求項２２】
コード化された信号が、ショートメッセージの通信路とデータ通信路とメイン通信路とを含むグループ内に含まれる通信路のいずれか一つによって受信されることを特徴とする請求項２１に記載の携帯電話。
【発明の詳細な説明】
【技術分野】
【０００１】
本発明は、楽曲のコード化方法に関するものである。本発明はまた、コード化された楽曲のコード解読方法を対象とする。
【背景技術】
【０００２】
楽譜の中に含まれている音符を表すデジタル信号によって楽音を再生する数多くの装置が存在する。通常ミディ規格を利用するシンセサイザやそれに類する装置以外にも、携帯電話を挙げることができる。ここでは主に、携帯電話を参照して本発明を説明する。しかしながら、本発明はそれらの装置に限定されるものではない。本発明は一般に、楽曲のコード化およびコード解読方法に適用される。
【０００３】
現在、コードの列で構成される二進法デジタルメッセージの形でメモリに保存された短い楽曲によって構成された独自の呼び出し音を備え、必要な時に音の生成装置を起動させる携帯電話の分野でこうした方法が使用されている。連続する２つの二進ワードによって各音を特定し、一方のワードは音の高さ（ド、レ、・・・）を表し、他方は音の長さ（全音符、２分音符、４分音符、８分音符など）を表す方法が一般的である。
【０００４】
携帯電話によって、このような楽曲を流すサイトを直接呼び出してこのような着信メロディーを得ることができる。こうしたサイトは、データベース中に、上述したようなコード化された楽曲を有する。こうして、サイトは自動的に、コード化を構成するメッセージを伝え、携帯電話は、そのメッセージを、コード解読によって、音の生成装置によって認識可能な従来のコードを含むメッセージに変換しなければならない。
【０００５】
実際には、サイトによって伝えられるメッセージの大きさは、制限されている。
【発明の開示】
【発明が解決しようとする課題】
【０００６】
本発明の目的は、楽曲のコードがコンパクトであり、その結果、従来の方法より長いおよび／または洗練された楽曲を伝送することができる楽曲のコード化方法を提案することにある。
【課題を解決するための手段】
【０００７】
本発明によるコード化方法は、音の集合について、一方は音の高さのために、他方は音の長さのために２つの別々のコード化を行い、それらコード化は、一方は音の高さ、他方は音の長さに特有の圧縮アルゴリズムの結果生じることを特徴とする。
【０００８】
音の高さと長さについて別々の２つの圧縮を使用することによって、コード化を最適化、すなわち、音の高さと長さについて使用されるビット数を最小化することが可能になる。なぜなら、このようにして、高さに特有の特性と長さに固有の特性の利点を引き出すことができるからである。
【０００９】
本発明の好ましい実施形態においては、音の集合について、たとえば比較的短い楽曲を形成する音の集合について、音の高さを表すコードは第１のグループを形成し、音の長さを表すコードは第１のグループとは別の第２のグループを形成する。たとえば、データが連続して伝送されると、まずは１つのグループ、たとえば第１グループを伝達し、さらに他のグループを伝達する。別々のグループごとに、好ましくは連続して行われるこうした伝達によって、伝達される情報の量をいっそう最小限に抑えることができる。
【００１０】
音の高さについては、好ましくは差分コード化が利用される。すなわち、各音が固有の方法で表されるのではなく、他の音との比較を基準として表される。たとえば、レの音については、１単位または他の１増分値だけ増大したド（ドが基準値だとすれば）に相当すると示すことができる。基準の高さは定めることができる。基準の高さはまた、先行する音、たとえば直前の音とすることもできる。
【００１１】
音の列が繰り返されると、その列に定められたコードが割り振られ、同じ列の音については、同じコードで表される。
【００１２】
音の長さを表すために、すなわち全音符、２分音符、４分音符、８分音符、１６分音符などを表すために、場合によっては付点や二重付点なども考慮に入れながら、好ましい実施形態においては、必ずしも可能な音の長さ全体を表すわけではない連続する一般的な音の長さに対して、定められた値を割り当てることによって、音の長さがコード化される。たとえば、１６分音符、付点１６分音符、二重付点１６分音符、８分音符、付点８分音符、二重付点８分音符、４分音符、付点４分音符、二重付点４分音符、２分音符、付点２分音符、二重付点２分音符といった音の長さの各々に対して１つのコードが割り当てられる。ここでは、付点音符の長さは１．５を掛けた長さであり、二重付点音符の長さは１．７５を掛けた長さに相当する。
【００１３】
こうした一般的な音の長さでは十分でない場合には、もっと短いあるいは長い音を表すための他のコードを選択するよりは、短い音は、コード化された長さを整数で割った長さに対応し、逆もまた同じで、長い音はコード化された長さに整数を掛けた長さに対応すると示される。たとえば、全音符は、２分音符の長さの２倍に相当し、３２分音符は１６分音符の長さの半分に相当する。
【００１４】
上述した例においては（１６分音符から二重付点２分音符までのコード化）、長い方の長さは、１６を掛けている。なぜなら、全音符は、１６分音符の１６倍の長さをもつからである。短い方の長さは、１６分で割っている。なぜなら３２分音符は２分音符を１６で割った長さだからである。
【００１５】
楽曲においては、一般に音の長さの列の数は比較的限定されているという考察から発する、本発明の他の態様によれば、音の長さの通常の列に特殊なコードが割り当てられる。たとえば、一般的な列は以下である。ＤＣ−ＤＣ；ＤＣ−ＤＣ−Ｃ；ＤＣ−ＤＣ−ＤＣ−ＤＣ；ＤＣ−ＣＰ；Ｃ−Ｃ；Ｃ−Ｃ−Ｃ−Ｃ；Ｃ−ＤＣ−ＤＣ；Ｃ−ＮＰ；ＣＰ−ＤＣ；Ｎ−Ｎ；ＮＰ−Ｃ；ＮＰ−ＤＣ−ＤＣ。ＤＣとは１６分音符を指し、Ｃは８分音符を意味し、ＣＰは付点８分音符、Ｃは８分音符、ＮＰは付点４分音符、Ｎは４分音符を意味する。
【００１６】
同時に再生されるためのいくつかのチャネルのコード化が行われ、音の連続する高さおよび／または音の連続する長さが同じである実施形態においては、チャネルのただ１つをコード化し、他の単数または複数のチャネルについては、第１のチャネルに対する音の高さおよび／または長さの同一性を示すコードが与えられる。ただ１つの音の生成手段が存在する携帯電話については、こうした措置は、１つのチャネルから他のチャネルで同じ音が連続する長さについてとりわけ利点がある。
【００１７】
リフレインタイプの繰り返し、すなわち高さおよび長さにおける音の列の繰り返しを考慮に入れるために、メロディーの２回目の出現のときに、対応するコードを伝えるだけでいいように、これらの繰り返されるメロディーに独自のコードが割り当てられる。
【００１８】
どの実施形態でも、本発明は、単純な方法で、楽曲を表すためのビット数を最小化することができる。
【００１９】
本発明はまた、上述のコード化方法に補完的なコード解読方法も対象とする。
【００２０】
したがって、本発明は、音の集合について、別々に、音の高さおよび音の長さをコード解読し、一方では音の高さに、他方では音の長さに特有の圧縮解除アルゴリズムを適用することを特徴とする、楽曲のコード解読方法に関する。
【００２１】
音の高さを表すコードが、第１のグループとは別の第２のグループを形成する音の長さを表すコードとは別の第１のグループを形成する実施形態においては、まず一方のグループ全体を、次に他方のグループをコード解読する。
【００２２】
音の高さのコード化が差分コード化の場合、すなわち、ある音の高さが、他の音を基準とした相対値で表される場合、コード解読は、コード解読される音を得るために基準値に相対値が付加される。
【００２３】
定義された列を表すコードの第１の出現後、コード解読のために、あるコードが音の高さの定義された列を表すようなコード化が行われる場合には、このコードが後に出現する際に定義された列を再生できるように、このコードがメモリに保存される。
【００２４】
コード解読のために、音の長さの一般的な列に定められたコードを割り当てる場合、デコーダは、あらかじめ、構造上、これらの音の長さの一般的な列を認識することができるコード解読手段をもつように設計されるか、または、あるコードが割り当てられた音の長さの１つの列を受け取るたびに、最初の受信後に音の長さの定められたその列としてそれが認識されるように、そのコードをメモリに入れるように設計される。
【００２５】
本発明はまた、上述のように定義された方法に従って楽音をコード化する生成装置、特にサーバ、ならびに本発明による方法によってコード化されたメロディーをコード解読することができるデコーダに関するものである。このようなデコーダは、楽器中に、またはソフトウェアの形で、あるいは携帯電話中に取り付けることができるだろう。
【００２６】
携帯電話の場合には、音符はたとえば、ショートメッセージチャネルまたはＳＭＳによって受信される。これらの楽曲はまた、データチャネルによって、または携帯電話の通常の通信路を介した単純なダウンロードによって受信することができる。
【００２７】
本発明はまた、上述のコード化方法によって得られる信号、すなわち、楽曲を表す信号に関するものであり、この信号は、音の集合について、一方は音の高さのために、他方は音の長さのために、２つの別々のコード化を行い、それらのコード化は、一方では高さ、他方では長さに特有の圧縮アルゴリズムの結果生じることを特徴とする。
【００２８】
したがって、本発明は音の集合について、一方は音の高さのために、他方は音の長さのために、別々の２つのコード化が行われ、これらのコード化が、一方では音の高さ、他方では音の長さに特有の圧縮アルゴリズムの結果生じる楽曲のコード化法に関するものである。
【００２９】
一実施形態によれば、音の集合について、高さを表すコードは第１のグループを形成し、長さを表すコードは第１のグループからは切り離された第２のグループを形成する。
【００３０】
音の高さのコード化は、たとえば、定められた基準の高さを構成する他の音、または直前の音のような先行する音を基準にした相対値とすることができる。
【００３１】
一実施形態においては、音の高さの定義された列に対しては１つの一定のコードが割り振られる。
【００３２】
連続する一般的な音の長さに対して独自の一定のコードを割り振ることによって、音の長さをコード化することができ、連続するこれらの音の長さにはたとえば、付点音符や二重付点音符が含まれる。
【００３３】
一定のコードは、一実施形態においては、連続する一般的な長さの一部に割り当てられ、短い長さは、同じコードから、連続する一般的な長さの前記部分に対応する長さを整数で割ることによって得られる。
【００３４】
一定のコードはまた、連続する一般的な音の長さの一部に割り当てられ、長い長さは、同じコードから、連続する一般的な音の長さの前記部分に対応する長さに整数を掛けることによって得られる。
【００３５】
一実施形態においては、音の長さの定義された各列に一定のコードを割り当てることができる。
【００３６】
さらに、音の長さの一般的な列に対して一定のコードを割り当てることができる。
【００３７】
一実施形態によれば、独自のコードが、高さおよび長さについてすでに定義された音の列の繰り返しを特定する。
【００３８】
本発明はまた、音の集合について、別々の方法で、音の高さおよび音の長さをコード解読し、一方では音の高さ、他方では音の長さに特有の圧縮解除アルゴリズムが適用される楽曲のコード解読方法に関するものである。
【００３９】
高さを表すコードが、第１のグループから切り離された第２のグループを形成する長さを表すコードとは区別された第１のグループを形成する場合、まず、一方のグループ全体を、次に他方のグループをコード解読することができる。
【００４０】
音の高さが、他の音を基準にした相対値によって表される場合、一実施形態によれば、コード解読は、コード解読すべき音を得るために基準値に相対値を付加することにある。
【００４１】
本発明の他の特徴および利点は、添付の図面を参照してなされるいくつかの実施形態についての説明によって明らかになるだろう。
【発明を実施するための最良の形態】
【００４２】
図１に示されている電気通信システムにおいては、楽音のコーダ１２を有するサーバ１０が想定され、コーダ１２によって提供されたコード化信号は、たとえば、ＳＭＳタイプのショートメッセージによって、携帯電話１４に伝送される。たとえば、個人化された着信音を構成するためのこれらの音声信号は、ユーザが、コンピュータ１８を用いて、コーダ１２によってコード化された音楽の録音にアクセスすることができるインターネット１６のような情報処理タイプの電気通信ネットワークによって伝送することができる。もちろん、携帯電話１４およびコンピュータ１８は、コーダ１２によって提供された信号をコード解読することができるソフトウェアを自由に使用できなければならないだろう。ダウンロードシステムについてより詳しく知るためには、たとえば、本出願人の名で１９９９年９月２９日に出願されたフランス特許出願第９９／１２２１０号を参照することができる。
【００４３】
サーバ１０では、この例においては、ミディ規格に応じて従来の方法でコード化される楽曲が保存される。実際に、このサーバ１０は、本発明によってコード化されるが、同様に、ミディ規格のコードとすることができる他のコードまたは特定の移動電話メーカに固有の他のコードによってコード化される楽曲を配信することを目的とする。したがって、サーバ１０は、本発明に合致するコード変換を実施するための手段、すなわち、音の高さに特有の圧縮アルゴリズムおよび音の長さに特有の圧縮アルゴリズムをともなう手段を有する。
【００４４】
各電話におけるデコーダは、楽曲を保存するために、受信したこれらの楽曲を各携帯電話または携帯電話のタイプに一般的に特有の他のコードに変換することができる。
【００４５】
一定の着信音を入手するために電話がサーバ１０を呼び出すと、その着信音は従来のコード化に従って保存され、コード変換ソフトウェアが従来のコード化を、携帯電話の各メーカ独自のコード化によって最大１４０オクテットのメッセージに翻訳する。到着すると、携帯電話は、着信音が起動すると音の生成装置を作動させることができる従来のコード化によってメッセージを翻訳する独自のコード解読ソフトウェアを有する。
【００４６】
本発明によるコード化方法によって洗練される、中央サイトから携帯電話に伝送されるためのメッセージは、全体の長さが、この例においては１４０オクテット未満でなければならない連結された二進ワードの列である。各チャネルについて、長さを表すコード化された値がグループ化され、伝送され、次いで、高さを表すコード化された値がグループ化され、伝送される。
【００４７】
メッセージは、以下に一例が示されているような定められた順序で、ワードの列を有する。
【００４８】
これらのワードは各々、リストアップされた固定の長さを有し、または、それらの長さを暗黙のうちに、または明示的に定めるリストアップされた固定長ワードに先行される。
【００４９】
このようにして、前置きとして、メッセージは、本発明による方法でコード化されていることを意味する固定長ワードで始められる。
【００５０】
この最初のワードの後に、タイトルの長さと、次に最大１５文字の可変長ワードである楽曲のタイトルとをコード化する固定長ワードが備えられる。
【００５１】
次のワードは、楽曲の中の事象数を表す。１つの事象は、知られている音の長さ（全音符、２分音符など）の中から選ばれる音の長さの基本時間である。
【００５２】
次に、１つのワードが、１分間につき４分音符０から５１１個に相当するテンポを特定する。このワードが不在の場合には、テンポはデフォルトによって１２０の値となる。
【００５３】
テンポに関するこうした情報の後に、複数のチャネルの存在を明記するワードが備えられる。
【００５４】
このワードはたとえば、楽曲の中のチャネルまたは通信路の数を表すワードをともない、そのワード自体が、関連チャネル番号を表すワードをともなう。
【００５５】
こうしたヘッダの後に、関連チャネルのための楽曲に関する情報が備えられる。まず第１に、長さを表す一定数の固定長ワードが備えられる。事象数がすでに前置きで示されていることから、コード解読のソフトウェアは長さを含むメッセージの終わりを見つけることができるだろう。
【００５６】
長さは、以下の７つのタイプの音によって音楽の中で特定され、各々のタイプは前の音符の２倍の時間を表している。６４分音符、３２分音符、１６分音符、８分音符、４分音符、２分音符、全音符である。これらのタイプの各々には、付点または二重付点をつけることができ、そのことによって、それらの長さはそれぞれ１．５および１．７５倍となる。このようにして、基本的な音の長さ全体を表すためには、２１の場合をコード化しなければならない。
【００５７】
以下の表１に示されている本発明の一解決方法によれば、長さの範囲の中央部分のみがコード化され、この中央範囲以外の音の長さを表すためには、コード化された乗法係数とコード化された除法係数が備えられる（より大きい範囲については乗法、小さい範囲については除法が用いられる）。
【００５８】
【表１】
2004527796.tif 000003
この例において、コードＣｉはすべて同じ長さ、すなわち同じビット数である。
【００５９】
２１の可能性を表すために１１の値のみが必要であることが分かる。
【００６０】
さらに、好ましい解決方法によれば、コードＤがすべて同じ長さ（コードＣの長さと等しくできる長さ）を有する表、表２に示されている、一般的に楽曲の中で見られる長さの列がコード化される。
【００６１】
【表２】
2004527796.tif 000004
このように恒常的にリストアップされコード化された長さのこれら１２の列の他に、圧縮ソフトウェアは、この例においては、楽曲内でコード化するのに最も一般的または最も利点のある音の長さの列を調べ、これらの列をマーキングするために８つのコードと、このようにリストアップされた各列の繰り返し数を表すための１６のコードとを自由に使用することができる。
【００６２】
音の長さに関するメッセージの部分においては、コード化タイプの変化を特定するコードＣ１２は、通常、新しいコード化を表すコードをともなう。特に
−その楽曲に独自の列
−他のチャネル内に存在する列と同じ列。
【００６３】
長さに関してグループ化されたコードに続いてそのコードがメッセージ内でグループ化され示される音の高さについても同様に、音の高さの複数のタイプのコード化が、メッセージ内で使用される。
【００６４】
第１のタイプのコード化は、以下の表に従って連続する１０オクターブ内に１２８のコードを割り当てることによって、音を絶対値にコード化することにある。
【００６５】
【表３】
2004527796.tif 000005
本発明の一解決方法によれば、最初の音の高さは、上述の表３に従って絶対値にコード化され、第２の音以降は、その音が前の音からさほど遠くない場合には、休符もコード化する次の表４に従って前の音への相対値によってコード化される。
【００６６】
【表４】
2004527796.tif 000006
２つの連続する音の間の隔たりが、それらを隔てる間隔が上記の表ではもはやコード化されない間隔である場合、隔てられた音を絶対値にコード化し、再び、その前の音に対して次の音を相対値でコード化し始める。
【００６７】
さらに、本発明の一実施形態によれば、圧縮ソフトウェアは、この例においては、楽曲内でコード化するのに最も一般的な音の高さの列を調べ、これらの列をマーキングするための８つのコードとこのようにマーキングされた各列の繰り返し数を表すための１６のコードとを自由に使用することができる。
【００６８】
このようにして、コードＥ１６は、絶対的なコード化、相対的なコード化、楽曲内にリスアップされた列のような音の高さのコード化の変化を特定することができる。コード化の変化はまた、次の音に適用される効果と、次の音についての楽器の変化、従来の意味でのリフレイン（リストアップされた列と同じ音の高さと長さの列）から成り立つことができる。
【図面の簡単な説明】
【００６９】
【図１】本発明に合致するコード化およびコード化解読法ならびにサーバおよび携帯電話および信号を利用する、楽曲の形での電話の呼び出し音をダウンロードするシステムの概略図である。
【国際公開パンフレット】
2004527796.tif 000007
2004527796.tif 000008
2004527796.tif 000009
2004527796.tif 000010
2004527796.tif 000011
2004527796.tif 000012
2004527796.tif 000013
2004527796.tif 000014
2004527796.tif 000015
2004527796.tif 000016
2004527796.tif 000017
2004527796.tif 000018
2004527796.tif 000019
2004527796.tif 000020
2004527796.tif 000021
2004527796.tif 000022
2004527796.tif 000023
2004527796.tif 000024
2004527796.tif 000025
2004527796.tif 000026
2004527796.tif 000027
【国際公開パンフレット（コレクトバージョン）】
2004527796.tif 000028
2004527796.tif 000029
【手続補正書】
【提出日】平成15年6月24日(2003.6.24)
【手続補正１】
【補正対象書類名】特許請求の範囲
【補正対象項目名】全文
【補正方法】変更
【補正の内容】
【特許請求の範囲】
【請求項１】
楽曲をコード化する方法であって、音の集合について、一方は音の高さのために、他方は音の長さのために、２つの別々のコード化を行い、これらのコード化は、一方では高さに、他方では長さに特有の圧縮アルゴリズムの結果生じ、音の高さの圧縮アルゴリズムは、音の高さの定義された列に一定のコードを割り当てるようなものであることを特徴とする方法。
【請求項２】
楽曲をコード化する方法であって、音の集合について、一方は音の高さのために、他方は音の長さのために、２つの別々のコード化を行い、これらのコード化は、一方では音の高さに、他方では音の長さに特有の圧縮アルゴリズムの結果生じ、音の長さの圧縮アルゴリズムは、連続する一般的な長さに一定のコードを割り当てるようなものであることを特徴とする方法。
【請求項３】
音の集合について、高さを表すコードは第１のグループを形成し、長さを表すコードは第１のグループとは別の第２のグループを形成することを特徴とする請求項１および２に記載の方法。
【請求項４】
１つの音の高さのコード化が他の音を基準にした相対値であることを特徴とする請求項１に記載の方法。
【請求項５】
１つの音の高さのコード化が定められた基準の高さに対する相対値であることを特徴とする請求項４に記載の方法。
【請求項６】
１つの音の高さのコード化が先行する音に対する相対値であることを特徴とする請求項４に記載の方法。
【請求項７】
先行する音が直前の音であることを特徴とする請求項６に記載の方法。
【請求項８】
連続する長さが、付点音符と二重付点音符を含むことを特徴とする請求項２に記載の方法。
【請求項９】
一定のコードが、連続する一般的な長さの一部に割り当てられ、同じコードから、連続する一般的な長さの前記部分に対応する長さを整数で割ることによって、より短い長さが得られることを特徴とする請求項２または８に記載の方法。
【請求項１０】
一定のコードが、連続する一般的な長さ一部に割り当てられ、同じコードから、連続する一般的な長さの前記部分に対応する長さに整数を掛けることによって、より長い長さが得られることを特徴とする請求項２、８または９のいずれか一項に記載の方法。
【請求項１１】
音の長さの定義された各列に一定のコードが割り当てられることを特徴とする請求項２に記載の方法。
【請求項１２】
音の長さの一般的な列に一定のコードが割り当てられることを特徴とする請求項２に記載の方法。
【請求項１３】
連続する音の高さおよび／または音の長さが同じである同時に再生されるべき複数のチャネルのコード化のために、ただ１つのチャネルの音がコード化され、単数または複数の他のチャネルのために、第１のチャネルに対する高さおよび／または長さの同一性を示すコードが与えられることを特徴とする前記請求項のいずれか一項に記載の方法。
【請求項１４】
独自のコードが、高さおよび長さにおいてすでに定義された音の列の繰り返しを特定することを特徴とする前記請求項のいずれか一項に記載の方法。
【請求項１５】
楽曲をコード解読する方法であって、音の集合について、音の高さおよび音の長さを別々の方法でコード解読し、一方では音の高さに、他方では音の長さに特有の圧縮解除アルゴリズムが適用され、音の高さの圧縮アルゴリズムは、一定のコードに対して、音の高さの定義された列を再現するようなものであることを特徴とする方法。
【請求項１６】
楽曲をコード解読する方法であって、音の集合について、音の高さおよび音の長さを別々の方法でコード解読し、一方では音の高さに、他方では音の長さに特有の圧縮解除アルゴリズムが適用され、音の長さの圧縮アルゴリズムは、一定のコードが音の長さの一般的な列として識別されるようなものであることを特徴とする方法。
【請求項１７】
高さを表すコードが、第１のグループとは別の第２のグループを形成する音の長さを表すコードとは別の第１のグループを形成しており、まず一方のグループ全体をコード解読し、次に他方のグループのコード解読を行うことを特徴とする請求項１５および１６に記載のコード解読方法。
【請求項１８】
ある音の高さが、他の音を基準にした相対値によって表されており、コード解読は、コード解読される音を得るために基準に相対値を付加することにあることを特徴とする請求項１５または１７に記載の方法。
【請求項１９】
請求項１から１４のいずれか一項に記載の方法を利用するコード化手段（１２）を有することを特徴とするサーバ（１０）のような楽曲の生成装置。
【請求項２０】
請求項１５から１８のいずれか一項に記載の方法を利用する楽曲のデコーダ。
【請求項２１】
携帯電話に対する請求項２０に記載のデコーダの適用。
【請求項２２】
コード化された信号が、ショートメッセージの通信路とデータ通信路とメイン通信路とを含むグループ内に含まれる通信路のいずれか一つによって受信されることを特徴とする請求項２１に記載の携帯電話。
【国際調査報告】
2004527796.tif 000030
2004527796.tif 000031
2004527796.tif 000032
2004527796.tif 000033
2004527796.tif 000034
2004527796.tif 000035